【手続補正書】
【提出日】平成23年1月18日(2011.1.18)
【手続補正１】
【補正対象書類名】特許請求の範囲
【補正対象項目名】全文
【補正方法】変更
【補正の内容】
【特許請求の範囲】
【請求項１】
遊技者の操作に基づいて回転又は停止し、かつ、各々に複数種類の図柄が回転方向に沿って付された複数のリールを含むスロットマシンであって、
役の抽選を行う役抽選手段と、
前記複数のリールが停止したときに、前記複数のリールの各々に付された図柄のうちの連続する３個の図柄を視認可能に停止表示する図柄表示領域が形成された図柄表示手段と、
遊技者の操作に応じて前記複数のリールの回転又は停止を制御するリール制御手段と、
前記複数のリールが全て停止したときに、前記図柄表示領域に定められた入賞ライン上に、いずれかの役に対応する図柄の組合せが停止したか否かによって、いずれかの役が入賞したか否かを判断する入賞判断手段と、を含み、かつ、
前記図柄表示領域には、前記複数のリールの各々について前記図柄表示領域に停止表示される前記連続する３個の図柄に対応した３つの図柄停止位置が定められ、かつ、
該３つの図柄停止位置のうち少なくとも１つは、そこに停止表示された図柄の種類によって入賞したか否かの判断の対象となる入賞対象停止位置であり、
前記入賞ラインは、前記複数のリールの各々について定められている前記入賞対象停止位置のうち１つを、前記複数のリールの全てに亘って結んだものであり、
前記複数のリールのうち少なくとも１つのリールは、前記３つの図柄停止位置が、２つの前記入賞対象停止位置と、該２つの入賞対象停止位置の間に位置し、そこに停止表示された図柄は入賞したか否かの判断の対象とならない１つの入賞非対象停止位置と、に予め定められている特定のリールであり、かつ、
前記リール制御手段は、
遊技者によって停止操作が行われたときから、所定の回転角度範囲に亘って前記リールが回動するまでの間に、前記リールが停止するように制御し、
前記役抽選手段による抽選結果においていずれの役にも当選していなかったときに、前記特定のリールを停止させる場合において、
前記２つの入賞対象停止位置における各図柄のうち、前記入賞非対象停止位置よりも前記リールの回転方向の反対方向側にある上流側入賞対象停止位置における図柄が、該上流側入賞対象停止位置に掛かる前記入賞ライン上に停止している他のリールの図柄との組合せによって何らかの役を構成し得るときは、前記特定のリールを図柄１コマ分回動させて、その図柄が前記入賞非対象停止位置に停止するように制御することを特徴とするスロットマシン。
【請求項２】
前記リール制御手段は、
前記役抽選手段による抽選結果において何らかの役に当選したときに、遊技者が停止操作を行ったことによって前記特定のリールを停止させる場合において、
前記上流側入賞対象停止位置に、前記当選した役を構成しない図柄が位置していたときは、前記特定のリールを図柄１コマ分回動させて、その図柄が前記入賞非対象停止位置に停止するように制御する請求項１記載のスロットマシン。
【請求項３】
遊技者の操作に基づいて回転又は停止し、かつ、各々に複数種類の図柄が回転方向に沿って付された複数のリールを含むスロットマシンであって、
役の抽選を行う役抽選手段と、
前記複数のリールが停止したときに、前記複数のリールの各々に付された図柄のうちの連続する３個の図柄を視認可能に停止表示する図柄表示領域が形成された図柄表示手段と、
遊技者の操作に応じて前記複数のリールの回転又は停止を制御するリール制御手段と、
前記複数のリールが全て停止したときに、前記図柄表示領域に定められた入賞ライン上に、いずれかの役に対応する図柄の組合せが停止したか否かによって、いずれかの役が入賞したか否かを判断する入賞判断手段と、を含み、かつ、
前記図柄表示領域には、前記複数のリールの各々について前記図柄表示領域に停止表示される前記連続する３個の図柄に対応した３つの図柄停止位置が定められ、かつ、
該３つの図柄停止位置のうち少なくとも１つは、そこに停止表示された図柄の種類によって入賞したか否かの判断の対象となる入賞対象停止位置であり、
前記入賞ラインは、前記複数のリールの各々について定められている前記入賞対象停止位置のうち１つを、前記複数のリールの全てに亘って結んだものであり、
前記複数のリールのうち少なくとも１つのリールは、前記３つの図柄停止位置が、２つの前記入賞対象停止位置と、該２つの入賞対象停止位置の間に位置し、そこに停止表示された図柄は入賞したか否かの判断の対象とならない１つの入賞非対象停止位置と、に予め定められている特定のリールであり、かつ、
前記リール制御手段は、
遊技者によって停止操作が行われたときから、所定の回転角度範囲に亘って前記リールが回動するまでの間に、前記リールが停止するように制御し、
前記役抽選手段による抽選結果において何らかの役に当選したときに、遊技者が停止操作を行ったことによって前記特定のリールを停止させる場合において、
前記２つの入賞対象停止位置における各図柄のうち、前記入賞非対象停止位置よりも前記リールの回転方向の反対方向側にある上流側入賞対象停止位置における図柄が、前記当選した役を構成しない図柄であったときは、前記特定のリールを図柄１コマ分回動させて、その図柄が前記入賞非対象停止位置に停止するように制御することを特徴とするスロットマシン。
【請求項４】
前記リール制御手段は、
前記役抽選手段による抽選結果において何らかの役に当選したときに、遊技者が停止操作を行ったことによって前記特定のリールを停止させる場合において、
前記入賞非対象停止位置に、前記当選した役を構成する図柄が位置していたときは、前記特定のリールを図柄１コマ分回動させて、その図柄が、前記２つの入賞対象停止位置における各図柄のうち前記入賞非対象停止位置よりも前記リールの回転方向側にある下流側入賞対象停止位置に停止するように制御する請求項１から３のうちいずれか１項に記載のスロットマシン。
【請求項５】
遊技者の操作に基づいて回転又は停止し、かつ、各々に複数種類の図柄が回転方向に沿って付された複数のリールを含むスロットマシンであって、
役の抽選を行う役抽選手段と、
前記複数のリールが停止したときに、前記複数のリールの各々に付された図柄のうちの連続する３個の図柄を視認可能に停止表示する図柄表示領域が形成された図柄表示手段と、
遊技者の操作に応じて前記複数のリールの回転又は停止を制御するリール制御手段と、
前記複数のリールが全て停止したときに、前記図柄表示領域に定められた入賞ライン上に、いずれかの役に対応する図柄の組合せが停止したか否かによって、いずれかの役が入賞したか否かを判断する入賞判断手段と、を含み、かつ、
前記図柄表示領域には、前記複数のリールの各々について前記図柄表示領域に停止表示される前記連続する３個の図柄に対応した３つの図柄停止位置が定められ、かつ、
該３つの図柄停止位置のうち少なくとも１つは、そこに停止表示された図柄の種類によって入賞したか否かの判断の対象となる入賞対象停止位置であり、
前記入賞ラインは、前記複数のリールの各々について定められている前記入賞対象停止位置のうち１つを、前記複数のリールの全てに亘って結んだものであり、
前記複数のリールのうち少なくとも１つのリールは、前記３つの図柄停止位置が、２つの前記入賞対象停止位置と、該２つの入賞対象停止位置の間に位置し、そこに停止表示された図柄は入賞したか否かの判断の対象とならない１つの入賞非対象停止位置と、に予め定められている特定のリールであり、かつ、
前記リール制御手段は、
遊技者によって停止操作が行われたときから、所定の回転角度範囲に亘って前記リールが回動するまでの間に、前記リールが停止するように制御し、
前記役抽選手段による抽選結果において何らかの役に当選したときに、遊技者が停止操作を行ったことによって前記特定のリールを停止させる場合において、
前記入賞非対象停止位置に、前記当選した役を構成する図柄が位置していたときは、前記特定のリールを図柄１コマ分回動させて、その図柄が、前記２つの入賞対象停止位置における各図柄のうち前記入賞非対象停止位置よりも前記リールの回転方向側にある下流側入賞対象停止位置に停止するように制御することを特徴とするスロットマシン。
【手続補正２】
【補正対象書類名】明細書
【補正対象項目名】００１１
【補正方法】変更
【補正の内容】
【００１１】
具体的には、本発明に係るスロットマシンは、
遊技者の操作に基づいて回転又は停止し、かつ、各々に複数種類の図柄が回転方向に沿って付された複数のリールを含むスロットマシンであって、
役の抽選を行う役抽選手段と、
前記複数のリールが停止したときに、前記複数のリールの各々に付された図柄のうちの連続する３個の図柄を視認可能に停止表示する図柄表示領域が形成された図柄表示手段と、
遊技者の操作に応じて前記複数のリールの回転又は停止を制御するリール制御手段と、
前記複数のリールが全て停止したときに、前記図柄表示領域に定められた入賞ライン上に、いずれかの役に対応する図柄の組合せが停止したか否かによって、いずれかの役が入賞したか否かを判断する入賞判断手段と、を含み、かつ、
前記図柄表示領域には、前記複数のリールの各々について前記図柄表示領域に停止表示される前記連続する３個の図柄に対応した３つの図柄停止位置が定められ、かつ、
該３つの図柄停止位置のうち少なくとも１つは、そこに停止表示された図柄の種類によって入賞したか否かの判断の対象となる入賞対象停止位置であり、
前記入賞ラインは、前記複数のリールの各々について定められている前記入賞対象停止位置のうち１つを、前記複数のリールの全てに亘って結んだものであり、
前記複数のリールのうち少なくとも１つのリールは、前記３つの図柄停止位置が、２つの前記入賞対象停止位置と、該２つの入賞対象停止位置の間に位置し、そこに停止表示された図柄は入賞したか否かの判断の対象とならない１つの入賞非対象停止位置と、に予め定められている特定のリールであり、かつ、
前記リール制御手段は、
遊技者によって停止操作が行われたときから、所定の回転角度範囲に亘って前記リールが回動するまでの間に、前記リールが停止するように制御し、
前記役抽選手段による抽選結果においていずれの役にも当選していなかったときに、前記特定のリールを停止させる場合において、
前記２つの入賞対象停止位置における各図柄のうち、前記入賞非対象停止位置よりも前記リールの回転方向の反対方向側にある上流側入賞対象停止位置における図柄が、該上流側入賞対象停止位置に掛かる前記入賞ライン上に停止している他のリールの図柄との組合せによって何らかの役を構成し得るときは、前記特定のリールを図柄１コマ分回動させて、その図柄が前記入賞非対象停止位置に停止するように制御することを特徴とする。
【手続補正３】
【補正対象書類名】明細書
【補正対象項目名】００１２
【補正方法】変更
【補正の内容】
【００１２】
上述した発明によれば、入賞したか否かの判断の対象とならない入賞非対象停止位置を図柄表示領域に配置するとともに、入賞非対象停止位置を入賞対象停止位置の間に配置したので、停止表示される図柄の組合せを外れの組合せにしたいときに、特定のリールを停止させる場合、入賞非対象停止位置よりもリールの回転方向の反対方向側にある上流側入賞対象停止位置における図柄が、該上流側入賞対象停止位置に掛かる入賞ライン上に停止している他のリールの図柄との組合せによって何らかの役を構成し得るときは、特定のリールを図柄１コマ分回動させて、その図柄が入賞非対象停止位置に停止するようにリールを停止制御すればよい。このため、図柄を停止表示するための制御の選択肢を増やすことができるとともに、リール上に配置する図柄の種類や順番が制限されることなく、所望する制御を容易にすることができる。
【手続補正４】
【補正対象書類名】明細書
【補正対象項目名】００１５
【補正方法】変更
【補正の内容】
【００１５】
さらに、この「リール制御手段」が、前記役抽選手段による抽選結果において何らかの役に当選したときに、遊技者が停止操作を行ったことによって前記特定のリールを停止させる場合において、
前記上流側入賞対象停止位置に、前記当選した役を構成しない図柄が位置していたときは、前記特定のリールを図柄１コマ分回動させて、その図柄が前記入賞非対象停止位置に停止するように制御することが望ましい。
【手続補正５】
【補正対象書類名】明細書
【補正対象項目名】００１６
【補正方法】変更
【補正の内容】
【００１６】
上述した発明によれば、停止表示される図柄の組合せを当たりの組合せにしたいときに、特定のリールを停止させる場合、上流側入賞対象停止位置に、当選した役を構成しない図柄が位置していたときは、特定のリールを図柄１コマ分回動させて、その図柄が入賞非対象停止位置に停止するようにリールを停止制御すればよい。このため、図柄を停止表示するための制御の選択肢を増やすことができるとともに、リール上に配置する図柄の種類や順番が制限されることなく、所望する制御を容易にすることができる。
【手続補正６】
【補正対象書類名】明細書
【補正対象項目名】００１７
【補正方法】変更
【補正の内容】
【００１７】
また、本発明に係るスロットマシンは、
遊技者の操作に基づいて回転又は停止し、かつ、各々に複数種類の図柄が回転方向に沿って付された複数のリールを含むスロットマシンであって、
役の抽選を行う役抽選手段と、
前記複数のリールが停止したときに、前記複数のリールの各々に付された図柄のうちの連続する３個の図柄を視認可能に停止表示する図柄表示領域が形成された図柄表示手段と、
遊技者の操作に応じて前記複数のリールの回転又は停止を制御するリール制御手段と、
前記複数のリールが全て停止したときに、前記図柄表示領域に定められた入賞ライン上に、いずれかの役に対応する図柄の組合せが停止したか否かによって、いずれかの役が入賞したか否かを判断する入賞判断手段と、を含み、かつ、
前記図柄表示領域には、前記複数のリールの各々について前記図柄表示領域に停止表示される前記連続する３個の図柄に対応した３つの図柄停止位置が定められ、かつ、
該３つの図柄停止位置のうち少なくとも１つは、そこに停止表示された図柄の種類によって入賞したか否かの判断の対象となる入賞対象停止位置であり、
前記入賞ラインは、前記複数のリールの各々について定められている前記入賞対象停止位置のうち１つを、前記複数のリールの全てに亘って結んだものであり、
前記複数のリールのうち少なくとも１つのリールは、前記３つの図柄停止位置が、２つの前記入賞対象停止位置と、該２つの入賞対象停止位置の間に位置し、そこに停止表示された図柄は入賞したか否かの判断の対象とならない１つの入賞非対象停止位置と、に予め定められている特定のリールであり、かつ、
前記リール制御手段は、
遊技者によって停止操作が行われたときから、所定の回転角度範囲に亘って前記リールが回動するまでの間に、前記リールが停止するように制御し、
前記役抽選手段による抽選結果において何らかの役に当選したときに、遊技者が停止操作を行ったことによって前記特定のリールを停止させる場合において、
前記２つの入賞対象停止位置における各図柄のうち、前記入賞非対象停止位置よりも前記リールの回転方向の反対方向側にある上流側入賞対象停止位置における図柄が、前記当選した役を構成しない図柄であったときは、前記特定のリールを図柄１コマ分回動させて、その図柄が前記入賞非対象停止位置に停止するように制御することを特徴とする。
【手続補正７】
【補正対象書類名】明細書
【補正対象項目名】００１８
【補正方法】変更
【補正の内容】
【００１８】
さらに、この「リール制御手段」が、前記役抽選手段による抽選結果において何らかの役に当選したときに、遊技者が停止操作を行ったことによって前記特定のリールを停止させる場合において、
前記入賞非対象停止位置に、前記当選した役を構成する図柄が位置していたときは、前記特定のリールを図柄１コマ分回動させて、その図柄が、前記２つの入賞対象停止位置における各図柄のうち前記入賞非対象停止位置よりも前記リールの回転方向側にある下流側入賞対象停止位置に停止するように制御することが好ましい。
【手続補正８】
【補正対象書類名】明細書
【補正対象項目名】００１９
【補正方法】変更
【補正の内容】
【００１９】
また、本発明に係るスロットマシンは、
遊技者の操作に基づいて回転又は停止し、かつ、各々に複数種類の図柄が回転方向に沿って付された複数のリールを含むスロットマシンであって、
役の抽選を行う役抽選手段と、
前記複数のリールが停止したときに、前記複数のリールの各々に付された図柄のうちの連続する３個の図柄を視認可能に停止表示する図柄表示領域が形成された図柄表示手段と、
遊技者の操作に応じて前記複数のリールの回転又は停止を制御するリール制御手段と、
前記複数のリールが全て停止したときに、前記図柄表示領域に定められた入賞ライン上に、いずれかの役に対応する図柄の組合せが停止したか否かによって、いずれかの役が入賞したか否かを判断する入賞判断手段と、を含み、かつ、
前記図柄表示領域には、前記複数のリールの各々について前記図柄表示領域に停止表示される前記連続する３個の図柄に対応した３つの図柄停止位置が定められ、かつ、
該３つの図柄停止位置のうち少なくとも１つは、そこに停止表示された図柄の種類によって入賞したか否かの判断の対象となる入賞対象停止位置であり、
前記入賞ラインは、前記複数のリールの各々について定められている前記入賞対象停止位置のうち１つを、前記複数のリールの全てに亘って結んだものであり、
前記複数のリールのうち少なくとも１つのリールは、前記３つの図柄停止位置が、２つの前記入賞対象停止位置と、該２つの入賞対象停止位置の間に位置し、そこに停止表示された図柄は入賞したか否かの判断の対象とならない１つの入賞非対象停止位置と、に予め定められている特定のリールであり、かつ、
前記リール制御手段は、
遊技者によって停止操作が行われたときから、所定の回転角度範囲に亘って前記リールが回動するまでの間に、前記リールが停止するように制御し、
前記役抽選手段による抽選結果において何らかの役に当選したときに、遊技者が停止操作を行ったことによって前記特定のリールを停止させる場合において、
前記入賞非対象停止位置に、前記当選した役を構成する図柄が位置していたときは、前記特定のリールを図柄１コマ分回動させて、その図柄が、前記２つの入賞対象停止位置における各図柄のうち前記入賞非対象停止位置よりも前記リールの回転方向側にある下流側入賞対象停止位置に停止するように制御することを特徴とする。